(57)【要約】【課題】使用者が１つのテープセットで大量のスタック式テープを使用できるテープセットを提供する。【解決手段】本体と、該本体の表面に隣設されている複数のスタック式テープと、該本体に設けられ該複数のスタック式テープのそれぞれの表面の一部を固定するための少なくとも１つの弾力性挟持部材とを備えている。【代表図】図４Ｂ【実用新案登録請求の範囲】
【請求項１】
本体と、
前記本体の表面に並行に隣設されている複数のスタック式テープと、
前記本体に設けられ、前記複数のスタック式テープのそれぞれの表面の一部を固定するための少なくとも１つの弾力性挟持部材と、
を備えることを特徴とするテープセット。
【請求項２】
前記本体は、中空構造であることを特徴とする請求項１に記載のテープセット。
【請求項３】
前記本体は、円管体または矩形体のいずれか１つであることを特徴とする請求項２に記載のテープセット。
【請求項４】
前記本体は、固体柱体であることを特徴とする請求項１に記載のテープセット。
【請求項５】
前記複数のスタック式テープのそれぞれは、前記本体の表面を回るように設けられていることを特徴とする請求項１に記載のテープセット。
【請求項６】
前記複数のスタック式テープのそれぞれは、複数のシート体によって構成されていることを特徴とする請求項１に記載のテープセット。
【請求項７】
前記複数のシート体のそれぞれは、粘着層が塗布されていない第１の箇所と粘着層が塗布された第２の箇所とを含むことを特徴とする請求項６に記載のテープセット。
【請求項８】
前記弾力性挟持部材は、蓋状の構造となっていることを特徴とする請求項１に記載のテープセット。
【請求項９】
前記弾力性挟持部材は、透明の蓋であることを特徴とする請求項８に記載のテープセット。
【請求項１０】
前記弾力性挟持部材は、環状の構造となっていることを特徴とする請求項１に記載のテープセット。
【請求項１１】
前記弾力性挟持部材は、輪ゴムまたは弾力性リングのいずれか１つであることを特徴とする請求項１０に記載のテープセット。
【請求項１２】
前記弾力性挟持部材に、開口が設けられていることを特徴とする請求項１に記載のテープセット。
【考案の詳細な説明】
【技術分野】
【０００１】
本考案は、テープセットに関し、より詳しくは、識別用として物品の貼着に用いられるテープセットに関するものである。
【背景技術】
【０００２】
テープとしては、プラスチック袋、包装ボックスおよび箱等のように、物を収容できる収容体のシールに用いられ、該収容体に内装された物がそのシール口から脱出することを回避することができるほか、例えばテーブルの引出し、キャビネット、印刷物またはその他の均等の物に直接貼着することもでき、これによって物の各部分がシールされ、例えばテーブルの引き出しまたはキャビネットが運搬の過程において脱出することが回避され、または識別用として例えば印刷物またはその他の均等の物に該テープが貼着されることもできる。
【０００３】
異なる場所に適用されるように、識別用のテープとしては、テープセットの作成のためにディスペンサーと組み合わせられているのが一般である。一つの例として、工場では、使用者が必要な物品を識別できるように、切断された色付きの小ピースのテープを、例えば資材または部品ボックス等の物に貼着することにより物を区別している。また、ディスペンサーによって提供された小ピースのテープが例えば書籍内容の重点や試験の範囲の標示に適用される場合、学生は、該小ピースのテープを書籍のある頁の縁にテープの一部が書籍頁の外部に露出されるように貼着することにより、該テープの貼着された頁を速やかに探し出すことができる。また、一般の会社では、使用者が識別できるように、このようなテープをドキュメントの整理または会議中に使用することにより、迅速にドキュメントの分類を行うことも可能である。関連の特許技術としては、例えば特許文献１〜４に開示されている。なお、図１および図２に示したのが一般のテープセットである。
【０００４】
図１に示すように、従来のテープセット１０は、ディスペンサー１０２と、スタック式テープ１０４と、ベースプレート１０６とを備えている。ディスペンサー１０２は、ほぼスタック式テープ１０４を収容する蓋状となっており、ディスペンサー１０２のほぼ中央箇所に開口１０２１が設けられている。スタック式テープ１０４は、表面の一部において粘着層が塗布されその他の部分において粘着層が塗布されていない複数のシート体１０４１で構成されており、隣接のシート体１０４１において粘着層が塗布された箇所と粘着層が塗布されていない箇所とが互いに逆さに設けられることにより、上層シート体１０４１が取り外された場合、上層シート体１０４１において粘着層が塗布された箇所が、下層シート体１０４１において粘着層が塗布されていない箇所が捲り上げられるように連動している。また、ベースプレート１０６がほぼディスペンサー１０２より大きく、該ディスペンサー１０２を固定することができる。
【０００５】
ディスペンサー１０２、スタック式テープ１０４およびベースプレート１０６が組立てられた後、図２に示すように、ディスペンサー１０２がベースプレート１０６に固定され、スタック式テープ１０４のシート体１０４１において粘着層が塗布されていない箇所が開口１０２１に露出されている。このようなテープセット１０が適用される場合、ディスペンサー１０２の開口１０２１より、各シート体１０４１を取出すことができ、また、次回の使用に便利であるように、取出されたシート体１０４１において粘着層が塗布された箇所が、下層シート体１０４１において粘着層が塗布されていない箇所が捲り上げられるように連動して、該開口１０２１に露出されている。
【０００６】
しかしながら、このようなテープセットでは、ディスペンサーの開口を介して取出されているため、一定の厚さのスタック式テープしか収容できず、しかも、スタック式テープの全体が使い切られた場合、該ディスペンサーの利用価値がなくなる。このように、使用者が早急に新しいテープセットを購入する必要があり、使用者の負担となるのみならず、資源の回収再利用にも不利である。
【０００７】
また、このようなテープセットの応用では、一定の厚さのスタック式テープしか収容できず、容量が小さく使用コストの増加となるほか、例えば大量の利用、異なる色、異なる幅またはその他の需要にも利用することができず、使用者が新しいテープセットを常に更新しなければならないため、使用上の不便があり、しかも使用上の融通性もない。
【０００８】
また、従来のテープセットでは、収容できるスタック式テープが限られ、ディスペンサーのコストが高く、生産コストが上昇しテープセットが高価となり、産業の利用価値が低下している。
【特許文献１】米国特許第５,０８６,９４６号明細書
【特許文献２】米国特許第５,４０１,５４７号明細書
【特許文献３】米国特許第５,５１８,１４４号明細書
【特許文献４】台湾特許公告第４６１９１８号明細書
【考案の開示】
【考案が解決しようとする課題】
【０００９】
従って、従来の技術では、容量が小さく資源の回収再利用にも不利であったため、回収の利用、使用コストの低減、使用の便利性、使用の融通性および生産コストの低下等が、早急に解決すべき課題となっている。
【００１０】
そこで、以上のとおりの事情に鑑み、本考案は、容量が大きいテープセットを提供することを課題とする。  
また、本考案は、回収再利用可能のテープセットを提供することを課題とする。  
また、本考案は、使用コストを低減できるテープセットを提供することを課題とする。  
また、本考案は、使用の便利性を有するテープセットを提供することを課題とする。  
また、本考案は、使用の融通性を有するテープセットを提供することを課題とする。  
また、本考案は、産業利用価値を向上できるテープセットを提供することを課題とする。
【課題を解決するための手段】
【００１１】
上記の課題を解決するために、本考案に係るテープセットは、本体と、複数のスタック式テープと、少なくとも１つの弾力性挟持部材とを備えている。
【００１２】
前記本体は、中空構造または固体柱体であってよい。この本体が中空構造である場合、好ましくは、円管体または矩形体のいずれか１つである。複数のスタック式テープのそれぞれが、本体の表面に平行的に隣設され、好ましくは、本体の表面を回るように設けられている。このうち、複数のスタック式テープのそれぞれが複数のシート体によって構成され、シート体のそれぞれが、粘着層が塗布されていない第１の箇所と粘着層が塗布された第２の箇所とを含む。弾力性挟持部材が、複数のスタック式テープのそれぞれの表面の一部を固定するために本体に設けられている。一つの実施形態として、弾力性挟持部材が例えば蓋状の構造となっており、好ましくは、透明の蓋である。他の一つの実施形態として、弾力性挟持部材が環状構造となってもよく、例えば輪ゴムまたは弾力性リングのいずれか１つである。また、弾力性挟持部材に開口が設けられてもよい。
【００１３】
本考案は、本体に複数のスタック式テープを設けることが可能であるため、使用者が１つのテープセットで大量のスタック式テープを使用することができ、該本体と該弾力性挟持部材とを繰り返して利用することが可能となっているため、ディスペンサーが使い切りとなることもなく、取り外しやすい効果があるとともに、従来の技術では例えば大量の使用、異なる色、異なる幅またはその他の使用需要に応じることができず、しかも新しいテープセットを常に取り替えなければならないことによって生じた使用の不便や使用の融通性がないという欠点を解決することができる。また、本考案に係るテープセットでは、１回きりのディスペンサーの使用を省略しているため、従来技術のようにテープセットが高価であり、生産コストが低減できない欠点を解決することができる。
【００１４】
従って、本考案に係るテープセットでは、容量が大きく、回収再利用が可能となるのみならず、使用コストが低減され、使用上の便利性や使用の融通性があり、産業の利用価値が向上しているため、従来技術の種種の欠点を解決することができる。
【００１５】
以下は、特定の具体実施例に基づいて本考案の実施方式を説明するものであり、この技術分野に精通した者は本考案のその他の利点や効果を明細書に記載の内容から容易に了解することができる。本考案は、その他の異なる具体実施例によって実施や応用したり、明細書に記載の内容も異なる観点や応用に基づき、本考案の精神を脱しない範囲で様々な修飾や変更が可能であり、そうした修飾や変更は本考案の技術的範囲に属するものである。
【考案を実施するための最良の形態】
【００１６】
以下の実施形態は、本考案の観点をさらに詳しく説明する。ただし、本考案の範囲はこれらの実施形態に限定されるものではない。
【００１７】
[第１の実施形態]
図３ないし図４Ｂは、本考案に係る第１の実施形態に基づいて描画された図面である。図に示すように、本考案に係るテープセット１は、本体１１と、複数のスタック式テープ１３と、弾力性挟持部材１５とを備えている。ここでは、それらの図面は簡単化のために本考案に係る基本構造を模式的に示しており、即ちそれらの図面では本考案に係る構成のみが示され、その示された構成は実際に実施される場合の形状およびサイズ比例によって描画されるものではなく、その実際に実施される場合の数、形状、及びサイズ比例などは設計上の選択事項であり、その構成形態がより複雑となるのがいうまでもない。
【００１８】
図３に示すように、前記本体１１は、例えば円管体またはその他の均等の中空構造であってよい。複数のスタック式テープ１３が、本体１１の表面に平行的に隣設され、本実施形態におけるスタック式テープ１３が、本体の表面を回るように設けられ、複数のシート体１３１によって構成されている。該シート体１３１のそれぞれが、粘着層が塗布されていない第１の箇所１３１１および粘着層が塗布された第２の箇所１３１３を含む。本実施形態において、複数のスタック式テープ１３のそれぞれのスタック構成が従来のスタック式テープの構成であってよいため、ここでは詳しい説明を省略する。弾力性挟持部材１５は、本体１１に対応する形状で、ほぼ円形の蓋状の構成となっており、例えば透明の蓋であってよいが、これに限定されるものではない。しかも、該弾力性挟持部材１５が透明の蓋である場合、使用者が色の異なるスタック式テープ１３を選択し取り外すことができる。
【００１９】
図４Aに示すように、弾力性挟持部材１５が本体１１の一側に設けられた場合、弾力性挟持部材１５が複数のスタック式テープ１３のそれぞれの表面の一部、例えば各該スタック式テープ１３の縁を固定することができる。使用者は、例えばいずれか１つのスタック式テープ１３のシート体１３１において粘着層が塗布されていない第１の箇所１３１１を捲り上げてそれを取り外すことができる。弾力性挟持部材１５がスタック式テープ１３の表面の一部を固定しているため、図４Ｂに示すように、テープセット１が、下層シート体１３１において粘着層が塗布されていない第１の箇所１３１１が捲り上げられるように連動し、シート体１３１の第１の箇所１３１１が弾力性挟持部材１５の外部に露出されることにより、使用者がそこから次のシート体１３１を取り外すことができる。また、すべてのスタック式テープ１が使い切られた後、本体１１および弾力性挟持部材１５を回収することができ、本体１１上に新しいスタック式テープ１３が設けられた後、弾力性挟持部材１５がそれらのスタック式テープ１３を備えた本体１１に設けられることにより、新たに使用できるようになる。
【００２０】
本実施形態において、標示として使用者が物品に貼着するように、複数のスタック式テープ１３のそれぞれのシート体１３１において異なる色であって粘着層が塗布されていない第１の箇所１３１１および粘着層が塗布された第２の箇所１３１３が形成されているが、粘着層が塗布されているかの位置または範囲がそれに限定されるものではない。当然のように、本実施形態において、複数のスタック式テープ１３のそれぞれのシート体１３１に対して例えば粗化またはその他の均等の処理を予め施すことにより、シート体１３１の表面が筆記またはその他の機能を有してもよい。そのうち、物の表面に粗化またはその他の均等の処理を施す原理および方法はともに従来のものであるため、ここでは詳しい説明を省略している。
【００２１】
スタック式テープ１３が本体１１の表面を回るように設けられているため、従来の技術に比較して、本考案に係るテープセットでは、複数のスタック式テープ１３の設置が可能となり、容量が大きくなる効果があり、しかも、本体１１と弾力性挟持部材１５とがともに回収再利用できるため、環境の保護に有利である。
【００２２】
また、本考案は、容量が大きく使用コストが低減しているため、使用者が新しいテープセットを常に取り替えなければならないことはなく、しかも各該スタック式テープ１３が異なる色または形状であることが可能であるため、識別用として物品に貼着されることができるとともに、色管理の効果が図られる。また、中空の本体１１を、対応する固定物（図示せず）に挿入することにより、使用者が該本体１１を自由に回転させ必要な色または形状のスタック式テープ１３を選択することもできる。従って、本考案に係るテープセットでは、便利性および使用の融通性を使用者に提供することができるとともに、産業の利用価値の向上が図られ、従来技術の種種の欠点を解決することができる。
【００２３】
[第２の実施形態]
図５ないし図６Ｂは、本考案に係る第２の実施形態に基づいて描画された図面である。図に示すように、本考案に係るテープセット１’は、本体１１と、複数のスタック式テープ１３’と、２つの弾力性挟持部材１５、１７とを備えている。そのうち、本考案の説明の簡単化のために、第１の実施形態と同一または相当部分に同一符号を付し、その詳しい説明を省略する。また、本実施形態と前記第１の実施形態との作用が同様であるため、本考案の特徴や利点がより分かり易くなるように、異なる部分のみ説明するが、同一の内容については説明を省略する。
【００２４】
図５に示すように、本実施形態におけるテープセット１’と第１の実施形態と相違している点は、本実施形態におけるテープセット１’には幅の異なるスタック式テープ１３’が備えられ、しかも、２つの弾力性挟持部材１５、１７が本体１１の両側に対向して設けられている点である。
【００２５】
図６Ａに示すように、使用者が手指で本体１１の一側にある弾力性挟持部材１５を介していずれか１つのスタック式テープ１３’のシート体１３１’において粘着層が塗布されていない箇所を捲り上げて取り外すことができる。このように、図６Ｂに示すように、下層シート体１３１’において粘着層が塗布されていない箇所が上へと捲り上げられるように連動して、本体１１の他の一側に弾力性挟持部材１７の外部に露出されている。
【００２６】
本実施形態において、２つの弾力性挟持部材１５、１７の使用により、複数のスタック式テープ１３’のそれぞれのシート体１３１’が本体１１の両側において捲り上げられることが確保されるのみならず、さらに、図５に示すように、例えば各該弾力性挟持部材１５、１７のそれぞれにカットオフラインによって開口１５１、１７１が予め設けられることにより、例えばホルダのような物（図示せず）がそれらの開口１５１、１７１を穿通し、本体１１が適当な位置に掛けられて、これによって使用者が便利で且つスペースを取ることなく各該スタック式テープ１３’のそれぞれのシート体１３１’を取り外すことができる。
【００２７】
[第３の実施形態]
図７は、本考案に係る第３の実施形態に基づいて描画された図面である。図に示すように、本考案に係るテープセット１”は、本体１１”と、複数のスタック式テープ１３と、１つの弾力性挟持部材１５”とを備えている。そのうち、本考案の説明がより分かり易くなるように、第１の実施形態と同一または相当部分に同一符号を付し、その詳しい説明を省略し、また、同一の作用についても詳しい説明を省略する。
【００２８】
図７に示すように、本実施形態におけるテープセット１”の前記の実施形態との最大の相違点が、本実施形態におけるテープセット１”は、前記実施形態の円管体の構成の代わりに、例えば矩形体の本体１１”を使用し、しかも、前記実施形態の蓋状の構成の代わりに、例えば輪ゴムまたはその他の弾力性リングである環状構成を弾力性挟持部材１５”として使用して本体１１”の端辺に設けている点である。
【００２９】
上記のように、本考案に係るテープセットが適用される場合、本体の構成が、必要に応じて変化し該本体の表面に複数のスタック式テープが設置できるものであればよく、該複数のスタック式テープの色、幅または形状が前記の実施形態に限定されるものではなく、該弾力性挟持部材の構成も設計の融通性を有しているため、異なる需要に応じて変化することが可能である。また、製造工程の時間の短縮のために、ストリップ状のスタック式テープを予め形成し、該スタック式テープを設計に応じて異なる幅または形状に分断してもよい。
【００３０】
従って、本考案の応用では、従来技術のように容量が小さく、資源の回収再利用ができず、使用コストの増加、使用の不便、使用の融通性がなく、生産コストの上昇等によって生じた種種の問題を解決することができる容量の大きいテープセットを提供しているほか、回収再利用が可能となり、使用コストの軽減、使用の便利や融通が図られ、産業の利用価値が向上している。
【００３１】
以上、本考案を実施の形態をもとに説明したが、本考案の技術的範囲は上記実施の形態に記載の範囲には限定されない。上記実施の形態は例示であり、それらの各構成要素の組み合わせに、さらにいろいろな変形例が可能なこと、またそうした変形例も本考案の範囲にあることは当業者に理解されるところである。
【図面の簡単な説明】
【００３２】
【図１】従来のテープセットの分解図を示している。
【図２】図１のテープセットが組立てられた後の立体図を模式的に示している。
【図３】本考案に係る第１の実施形態のテープセットの分解図を示している。
【図４Ａ】図３のテープセットが組立てられた後の立体図を模式的に示している。
【図４Ｂ】本考案に係る第１の実施形態の使用状態を模式的に示している。
【図５】本考案に係る第２の実施形態のテープセットの分解図を示している。
【図６Ａ】本考案に係る第２の実施形態の使用状態を模式的に示している。
【図６Ｂ】本考案に係る第２の実施形態の他の使用状態を模式的に示している。
【図７】本考案に係る第３の実施形態の構造を模式的に示している。
【符号の説明】
【００３３】
１、１’、１”  テープセット
１１、１１”  本体
１３、１３’  スタック式テープ
１３１、１３１’  シート体
１３１１  第１の箇所
１３１３  第２の箇所
１５、１５”  弾力性挟持部材
１５１  開口
１７  弾力性挟持部材
１７１  開口
１０  テープセット
１０２  ディスペンサー
１０２１  開口
１０４  スタック式テープ
１０４１  シート体
１０６  ベースプレート
【図１】
0003120336.tif 000002
【図２】
0003120336.tif 000003
【図３】
0003120336.tif 000004
【図４Ａ】
0003120336.tif 000005
【図４Ｂ】
0003120336.tif 000006
【図５】
0003120336.tif 000007
【図６Ａ】
0003120336.tif 000008
【図６Ｂ】
0003120336.tif 000009
【図７】
0003120336.tif 000010